(57)【要約】【課題】まつげ固定台を提供する。【解決手段】底面と、少なくとも一つの位置固定部を含む。位置固定部を底面に設け、位置固定部の一側に挟持面を形成し、位置固定部は挟持面にて２つの位置固定溝を設け、位置固定溝は底面を離れる一側に開口部を設け、開口部は外部に連絡され、挟持方式によるまつげの固定は包装の作業フローを簡素化できると共に、取り出して使用するときに、まつげの折損や変形を避けることができる。【選択図】図１
2015231513.tif 000002
【特許請求の範囲】
【請求項１】
底面と、位置固定部とを含む、まつげ固定台であって、
底面を有し、少なくとも一つの位置固定部は前記底面に設けられ、一側に挟持面を形成し、前記位置固定部は挟持面に２つの位置固定溝を設け、前記位置固定溝は前記底面を離れる一側に開口部を設け、前記開口部と外部と互いに連絡することを特徴とする、まつげ固定台。
【請求項２】
前記位置固定溝は仮想延在線の方向に沿って延ばし、前記仮想延在線は直線を形成し、前記２つの仮想延在線から形成する挟み角は９０度以下かまたは互いに平行することを特徴とする、請求項１記載のまつげ固定台。
【請求項３】
前記２つの仮想延在線が互いに平行し、前記位置固定部はＣ型を形成していて、かつ突き出し状を形成し、前記位置固定部の一側に背面を形成し、前記挟持面は凸弧面を形成し、前記背面は凹弧面を形成、前記位置固定溝は前記背面の方向に沿って延ばしていて、前記位置固定溝は前記位置固定部に貫通して、前記挟持面と前記背面に連絡し、前記２つの位置固定溝はそれぞれ前記挟持面にて、互いに離れる一端に位置され、前記少なくとも一つの位置固定部複数を有し、前記底面は平面を形成することを特徴とする、請求項２記載のまつげ固定台。
【発明の詳細な説明】
【技術分野】
【０００１】
本発明はまつげ固定台に関し、特に使用者がまつげを便利に取り出せるまつげ固定台に関する。
【背景技術】
【０００２】
中華民国特許第Ｍ４０１３４５号、まつげベースの改良（特許文献１）は、まつげのベースであって、一体成形のベースとまつげベースを含む、まつげベースを一体成形されたベースに凸設され、まつげベースはまつげの形状に合わせて、新月状を形成し、まつげを包装するときに、両端部をまつげベースに接着して置き、まつげが包装ケースでの移動を防止するすると共に、まつげの変形を避けることができることを紹介されている。
【先行技術文献】
【特許文献】
【０００３】
【特許文献１】中華民国特許第Ｍ４０１３４５号
【発明の概要】
【発明が解決しようとする課題】
【０００４】
しかし、前述構造によるまつげの包装は、使用者がまつげを取り出すときに力強くまつげを引っ張りださなければ、まつげをベースの接着剤から引き離すことはできない、そして、使用者の力の入れ具合により、まつげが変形や折損を引き起こしてしまい、取り出すことは難しかった。そのうち、一部の使用者は挟みを用いてまつげの両端を切り取れば、まつげの変形は避けられるが、まつげを損傷させる恐れがあるほか、道具を使用しなければまつげを取り出すことはできない、非常に面倒である。
【課題を解決するための手段】
【０００５】
本発明の主な目的は、底面と、少なくとも一つの位置固定部を含む。位置固定部を底面に設け、位置固定部の一側に挟持面を形成し、位置固定部は挟持面に２つの位置固定溝を設け、位置固定溝が底面を離れる一側に開口部を設け、開口部は外部に連絡され、挟持方式によるまつげの固定は包装の作業フローを簡素化できると共に、取り出して使用するときに、まつげの折損や変形を避けることができるまつげ固定台を提供する。
【図面の簡単な説明】
【０００６】
【図１】本発明のまつげ固定台による立体外観図である。
【図２】本発明のまつげ固定台による立体分解図である。
【図３】本発明のまつげ固定台による断面構造図である。
【図４】本発明のまつげ固定台に包装されたまつげを使用する態様図である。
【図５】本発明のまつげ固定台に包装されたまつげもう一つの視角による使用態様図である。
【発明を実施するための形態】
【実施例】
【０００７】
図１ないし３、本発明のまつげ固定台による立体外観図と、まつげを分離する立体分解図及び断面構造図を参照する。本発明の固定台１０は底面２０と、少なくとも一つの位置固定部３０を含む。そのうち、
【０００８】
係る底面２０は、平面状を形成されている。
【０００９】
本実施例において、少なくとも一つの位置固定部３０は複数を実施し、位置固定部３０を底面２０に設け、位置固定部３０はＣ型を形成していて、かつ突き出し状を形成する。位置固定部３０の一側に挟持面３１を形成し、位置固定部３０が挟持面３１を離れる一側に背面３２を形成し、挟持面３１は凸弧面を形成し、背面３２は凹弧面を形成する。
【００１０】
係る位置固定部３０は挟持面３１に２つの位置固定溝３３を設け、２つの位置固定溝３３はそれぞれ挟持面３１にて互いに離れる一端に位置する。位置固定溝３３は仮想延在線３４に沿って背面３２方向に延ばしており、位置固定溝３３が位置固定部３０を貫通して挟持面３１と背面３２に連絡する。位置固定溝３３は底面２０を離れる一側に開口部３５を開けられ、開口部３５は外部と互いに連絡する。仮想延在線３４は直線を形成し、２つの仮想延在線３４から形成される挟み角は９０度より小さいかまたは互いに平行している。本実施例において、２つの仮想延在線３４は互いに平行している。
【００１１】
引き続き図４と図５、本発明のまつげ固定台による使用態様図を参照する。係る固定台１０によって、まつげ９０の位置を固定して置き、まつげ９０が包装完了後に包装ケースにて移動し曲げ変形を防げる。固定台１０を適用すれば、まつげ９０の茎の両端をそれぞれ２つの位置固定溝３３に挟み込み、挟持方式によってまつげ９０を固定して置き、作業者が素早くまつげ９０の包装作業を行えると共に、包装の作業フローの簡素化を実現し、まつげ９０の包装コストを軽減できる。
【００１２】
これにより、まつげ９０を挟持方式によって固定台１０に取り付けられ、使用者がまつげ９０を取り出すことは、素手でまつげ９０を固定台１０から簡単に取り出せる。まつげ９０を取り出すときに新たに道具を使用する面倒を省けると同時に、まつげ９０が使用者による力の入れ違いで、まつげ９０の折損または変形を避けられる。
【００１３】
係る位置固定溝３３が位置固定部３０を貫通していて、かつ位置固定溝３３の開口部３５が外部と互いに連絡されている。作業員がまつげ９０を包装するときに、まつげ９０の茎の両端を併せて位置固定部３０が底面２０を離れる一側から位置固定溝３３に取り付けることによって、包装作業を簡単しかも非常に高速に行える。
【００１４】
以上の説明内容から、本案は以下の長所をまとめることができる。
【００１５】
本発明のまつげ固定台は、底面と、少なくとも一つの位置固定部を含む。位置固定部を底面に設け、位置固定部の一側に挟持面を形成し、位置固定部は挟持面に２つの位置固定溝を設け、位置固定溝が底面を離れる一側に開口部を設け、開口部は外部に連絡され、挟持方式によるまつげの固定は包装の作業フローを簡素化できると共に、取り出して使用するときに、まつげの折損や変形を避けることができる。
【符号の説明】
【００１６】
１０      固定台
２０      底面
３０      位置固定部
３１      夾持面
３２      背面
３３      位置固定溝
３４      仮想延在線
３５      開口部
９０      まつげ
【図１】
2015231513.tif 000003
【図２】
2015231513.tif 000004
【図３】
2015231513.tif 000005
【図４】
2015231513.tif 000006
【図５】
2015231513.tif 000007